(57)【要約】【課題】金型構造を簡素化できる防虫網及び光電式煙感知器を得る。また、光学台カバーと一体形成してもコストの増加を抑制することができる防虫網及び光電式煙感知器を得る。【解決手段】平板部１２に形成された防虫網部３０は、複数の穴部３１が略円環状に配置されている。穴部３１のそれぞれは、平板部１２の一方の面に形成された凹部３１ａと、凹部３１ａよりも開口面積が小さく、凹部３１ａから平板部１２の他方へ貫通した貫通孔３１ｂと、を備えている。【選択図】図４
2011215705.tif 000002
【特許請求の範囲】
【請求項１】
光電式煙感知器の煙流入部近傍に取付される防虫網において、
平板に、複数の穴部が略環状に配置され、
前記穴部のそれぞれは、
前記平板の一方の面に形成された凹部と、
前記凹部よりも開口面積が小さく、前記凹部から前記平板の他方へ貫通した貫通孔と、
を備えたことを特徴とする防虫網。
【請求項２】
前記貫通孔は、前記穴部の配置形状における外周側に位置する前記凹部の側壁に寄って形成されていることを特徴とする請求項１に記載の防虫網。
【請求項３】
内部に光を照射する発光素子、及び前記発光素子から照射され、前記検煙部の煙粒子により散乱した光を受光する受光素子を備えた検煙部と、
該検煙部の出力信号に基づいて火災を判断する火災判別部と、
を備えた光電式煙感知器において、
前記検煙部は、
一方の側に開口部が形成され、前記発光素子及び前記受光素子が設けられた光学台と、
前記開口部の中央部を覆う筒部が形成され、少なくとも前記開口部の中央部を覆う光学台カバーと、
を有し、
請求項１又は請求項２に記載の防虫網が、前記凹部の形成された面が前記光学台との対向面と反対側の面となるように前記筒部の外周側に設けられ、前記開口部の残りの範囲を覆うことを特徴とする光電式煙感知器。
【請求項４】
内部に光を照射する発光素子、及び前記発光素子から照射され、前記検煙部の煙粒子により散乱した光を受光する受光素子を備えた検煙部と、
該検煙部の出力信号に基づいて火災を判断する火災判別部と、
を備えた光電式煙感知器において、
前記検煙部は、
一方の側に開口部が形成され、前記発光素子及び前記受光素子が設けられた光学台と、
前記開口部を覆う光学台カバーと、
を有し、
前記光学台カバーは、
前記開口部の中央部を覆う筒部と、該筒部の外周側に設けられた平板部と、を有し、
前記平板部には、前記筒部の周縁部に複数の穴部が略環状に配置された防虫網部が形成され、
前記穴部のそれぞれは、
前記平板部における前記光学台との対向面と反対側の面に形成された凹部と、
前記凹部よりも開口面積が小さく、前記凹部から前記平板を貫通した貫通孔と、
を備えたことを特徴とする光電式煙感知器。
【請求項５】
前記検煙部及び前記火災判別部を収容する筐体を備え、
前記光学台カバーは、前記筐体と一体的に形成されていることを特徴とする請求項４に記載の光電式煙感知器。
【発明の詳細な説明】
【技術分野】
【０００１】
本発明は防虫網及び光電式煙感知器に関する。
【背景技術】
【０００２】
光電式煙感知器に用いられる従来の防虫網としては、例えば「防虫カバー４は、図１２乃至図１５に示すように絶縁性を有する合成樹脂により有底円筒状に形成される。防虫カバー４の底板４ａには光学基台３に設けた挿通孔１１ｃと連通し、回路基板２に実装されたサーミスタ６を挿通するための貫通孔４ｄが形成され、周壁４ｂには複数の孔が格子状に開口するメッシュ部４ｃが形成されている。この防虫カバー４は光学基台３の下端部を筒内に挿入した状態で光学基台３に取り付けられており、ラビリンス壁９の周りをメッシュ部４ｃが形成された周壁４ｂで覆っているので、ラビリンス壁９で囲まれた煙感知室Ｓに虫等の異物が侵入するのを防止できる。また、防虫カバー４の底板４ａには、図３及び図１３に示すように、光学基台３の底板７に設けた突台部１９，２０と対向する部位に上側（光学基台３側）に向かって突出し、突台部１９，２０に設けた溝１９ａ，２０ａと嵌合する蓋部２１，２２が一体に形成されている。」（特許文献１参照）というものが提案されている。つまり、特許文献１に記載の防虫網は、部品点数を減らして組立作業性を向上させるため、光学基台の下部開口部を覆う光学台カバーの一部と一体形成されている。
【先行技術文献】
【特許文献】
【０００３】
【特許文献１】特開２００２−３５２３４７号公報（段落００３１、図１２〜図１５）
【発明の概要】
【発明が解決しようとする課題】
【０００４】
従来の防虫網は、略円筒形状に形成され、その側面部に複数の穴部（例えば、特許文献１のメッシュ部４ｃに相当）が形成されていた。このため、従来の防虫網を金型成型する場合、円筒形状の軸方向（穴部の貫通方向と垂直な方向）に動く金型部品と、穴部の貫通方向（円筒形状の軸方向と垂直な方向）に動く金型部品が必要となる。したがって、従来の防虫網は、金型構造が複雑になってしまうという問題点があった。
また、従来の防虫網は、例えば特許文献１に示されたように防虫網と光学台カバーを一体形成する場合、複雑な形状となってしまう。このため、金型構造がさらに複雑となり、防虫網のコストが増加してしまうという問題点があった。
【０００５】
本発明は、上記のような課題の少なくとも１つを解決するためになされたものであり、金型構造を簡素化できる防虫網及び光電式煙感知器を得ることを第１の目的とする。また、光学台カバーと一体形成してもコストの増加を抑制することができる防虫網及び光電式煙感知器を得ることを第２の目的とする。
【課題を解決するための手段】
【０００６】
本発明に係る防虫網は、光電式煙感知器の煙流入部近傍に取付される防虫網において、平板に複数の穴部が略環状に配置され、穴部のそれぞれは、平板の一方の面に形成された凹部と、凹部よりも開口面積が小さく、凹部から平板の他方へ貫通した貫通孔と、を備えたものである。
【０００７】
また、貫通孔は、穴部の配置形状における外周側に位置する凹部の側壁に寄って形成されているものである。
【０００８】
また、本発明に係る光電式煙感知器は、内部に光を照射する発光素子、及び発光素子から照射され、検煙部の煙粒子により散乱した光を受光する受光素子を備えた検煙部と、検煙部の出力信号に基づいて火災を判断する火災判別部と、を備えた光電式煙感知器において、検煙部は、一方の側に開口部が形成され、発光素子及び受光素子が設けられた光学台と、開口部の中央部を覆う筒部が形成され、少なくとも開口部の中央部を覆う光学台カバーと、を有し、上記の防虫網が、凹部の形成された面が光学台との対向面と反対側の面となるように筒部の外周側に設けられ、開口部の残りの範囲を覆うものである。
【０００９】
また、本発明に係る光電式煙感知器は、内部に光を照射する発光素子、及び発光素子から照射され、検煙部の煙粒子により散乱した光を受光する受光素子を備えた検煙部と、検煙部の出力信号に基づいて火災を判断する火災判別部と、を備えた光電式煙感知器において、検煙部は、一方の側に開口部が形成され、発光素子及び受光素子が設けられた光学台と、開口部を覆う光学台カバーと、を有し、光学台カバーは、開口部の中央部を覆う筒部と、筒部の外周側に設けられた平板部と、を有し、平板部には、筒部の周縁部に複数の穴部が略環状に配置された防虫網部が形成され、穴部のそれぞれは、平板部における光学台との対向面と反対側の面に形成された凹部と、凹部よりも開口面積が小さく、凹部から平板を貫通した貫通孔と、を備えたものである。
【００１０】
また、防虫網が光学台カバーと一体形成された（光学台カバーに防虫網部が形成された）光電式煙感知器においては、検煙部及び火災判別部を収容する筐体を備え、光学台カバーは、筐体と一体的に形成されているものである。
【発明の効果】
【００１１】
本発明においては、穴部の形成方向に動く金型部品のみで防虫網を形成することができる。このため、防虫網を形成する際の金型構造を簡素化することができる。また、防虫網の穴部のそれぞれは、平板の一方の面に形成された凹部と、凹部よりも開口面積が小さく、凹部から平板の他方の面へ貫通した貫通孔と、を備えたものとなっている。このため、凹部の形成された面が光学台との対向面と反対側の面となるように防虫網を光電式煙感知器に設けることにより、質量の小さい煙は穴部を通って検煙部に流入し、質量の大きい湯気や粉塵等の非火災報源は検煙部に流入しない。したがって、誤報することなく、火災を判断することができる光電式煙感知器を得ることができる。
【００１２】
また、穴部の配置形状における外周側に位置する凹部の側壁に寄るように貫通孔を形成することにより、外部から受光素子へ光が到達することを抑制できる。
【００１３】
また、防虫網と光学台カバーとを一体形成した（光学台カバーに防虫網部を形成した）場合でも、穴部の貫通方向に動く金型部品のみで光学台カバー（防虫網）を形成することができる。このため、光学台カバーのコストの増加を抑制することができる。また、防虫網と光学台カバーとを一体形成する（光学台カバーに防虫網部を形成する）ことにより、光電式煙感知器の組立作業性を向上させることができる。
【００１４】
また、防虫網部が形成された光学台カバーを筐体と一体形成することにより、光電式煙感知器の組立作業性をさらに向上させることができる。
【図面の簡単な説明】
【００１５】
【図１】本発明の実施の形態１に係る火災警報器の検煙部を示す底面図である。
【図２】図１に示す検煙部の側面図である。
【図３】本発明の実施の形態１に係る火災警報器における光学台カバーを外した状態の検煙部を示す底面図である。
【図４】図１のＢ−Ｂ断面図（正面断面図）である。
【図５】図１のＡ−Ａ断面図である。
【図６】本発明の実施の形態１に係る火災警報器の底面図である。
【図７】図６のＣ−Ｃ断面図（正面断面図）である。
【図８】本発明の実施の形態２に係る火災警報器の底面図である。
【図９】図８のＤ−Ｄ断面図である。
【図１０】図８のＥ−Ｅ断面図である。
【図１１】本発明の実施の形態２に係る火災警報器の分解斜視図である。
【図１２】本発明の実施の形態２に係る火災警報器の分解斜視図である。
【発明を実施するための形態】
【００１６】
以下の実施の形態１及び実施の形態２では、光電式煙感知器の構成に押し釦スイッチやブザー等の警報装置を設けた火災警報器に本発明を実施した場合について説明する。
【００１７】
実施の形態１．
図１は、本発明の実施の形態１に係る火災警報器の検煙部を示す底面図である。図２は、この検煙部の側面図である。図３は、この検煙部の光学台カバーを外した状態を示す底面図である。図４は、図１のＢ−Ｂ断面図であり、本発明の実施の形態１に係る火災警報器を正面から見たときの縦断面図である。図５は、図１のＡ−Ａ断面図である。以下、これら図１〜図５を用いて、本実施の形態１に係る火災警報器１００の検煙部１について説明する。なお、以下の説明（後述の実施の形態２を含む）では、図４の上下左右方向に合わせて説明する。
【００１８】
火災警報器１００の検煙部１は、光学台２１、発光素子２２、受光素子２３、遮光部材２４、及び光学台２１の下部開口部を覆う光学台カバー１０等から構成されている。光学台２１は下部が開口した略円筒形状となっており、発光素子２２を収納するための発光素子ホルダ２６、及び受光素子２３を収納するための受光素子ホルダ２７が設けられている。これら発光素子ホルダ２６及び受光素子ホルダ２７の外側端部は、光学台２１の外周部から突出するように設けられている。光学台２１の下部開口部が後述の光学台カバー１０で覆われることにより、光学台２１の内部は暗箱となる。
【００１９】
発光素子ホルダ２６には、例えばフック等からなる一対の保持部材２６ａが設けられている。これら保持部材２６ａに挟持されて、発光素子２２は発光素子ホルダ２６に収納されている。このとき、発光素子２２のリード部は、略直角に曲げられており、発光素子ホルダ２６に形成された貫通孔２６ｂに挿通され、光学台２１の上面部から突出している。
【００２０】
受光素子２３は、シールドケース２８内に設けられ、このシールドケース２８と共に受光素子ホルダ２７に収納されている。シールドケース２８は、上部及び受光素子２３の受光部と対向する範囲が開口した、略角筒形状をしている。このシールドケース２８には例えば押さえ片等からなる保持部材２８ａが設けられており、受光素子２３は、シールドケース２８の側面部と保持部材２８ａに挟持され、シールドケース２８内に設けられている。シールドケース２８の上部には凸部２８ｂが形成されており、この凸部２８ｂを回路基板２に形成された開口部に挿通させて半田付けすることによって、シールドケース２８及び受光素子２３は固定されている。
【００２１】
発光素子２２及び受光素子２３が光学台２１内に収納された状態において、発光素子２２はその光軸２２ａが光学台２１の略中心部を向くように設けられており、受光素子２３はその光軸２３ａが光学台２１の略中心部を向くように設けられている。また、発光素子２２の光軸２２ａと受光素子２３の光軸２３ａは、側面視において略平行となり、平面視において発光素子２２からの照射光を受光素子が直接受光しない所定の角度をなすように設けられている。そして、発光素子２２の照射範囲と受光素子２３の受光範囲との重合部である煙検出部で煙を検出する。より詳しくは、発光素子２２から照射された光がこの煙検出部に進入する煙によって散乱される光を、受光素子２３は受光する。
【００２２】
また、発光素子２２の光軸２２ａと受光素子２３の光軸２３ａとのなす角度が鈍角となる側の光学台２１には、遮光部材２４が立設されている。この遮光部材２４の平面視における断面形状は、例えば略Ｖ字状をしている。これにより、遮光部材２４には、エッジ部２４ａ及びエッジ部２４ｂが形成されている。エッジ部２４ａは、発光素子２２の照射した光を受光素子２３が直接受光することを防止している。エッジ部２４ｂは、エッジ部２４ａで乱反射した光を受光素子２３が受光することを防止している。
【００２３】
光学台２１の発光素子２２に対向する周壁の近傍には、発光素子２２から照射された光を減衰させる光トラップ２９が設けられている。この光トラップ２９は、複数の壁体２９ａを備えている。発光素子２２から照射された光は、これら壁体２９ａ間で繰り返し反射することにより減衰する。また、複数の壁体２９ａは、それぞれの間の周壁に形成する袋小路毎に照射光が所定回数の反射を繰り返すように、発光素子２２に平面部を向けて略直線状に延びている。さらに、複数の壁体２９ａの内側端部のエッジ形状は鋭角としている。これらにより、発光素子２２の照射光は光トラップ２９で確実に減衰できるため、検煙部１内に多量の迷光が進入することを防止している。光トラップ２９の複数の壁体２９ａの数や形状は、発光素子２２の照射パターン（図示せず）によって適宜決定される。
【００２４】
光学台カバー１０は、筒部１１及び平板部１２等から構成されている。筒部１１は、例えば略円筒形状をしており、下部が閉塞された形状となっている。この筒部１１の外周側には、略円板状の平板部１２が設けられている。平板部１２は、筒部１１の上端部１１ａが平板部１２の上面から突出するように、筒部１１の外周側に設けられている。平板部１２の上面よりも筒部１１の上端部を突出させることにより、水平方向に流れる煙が突出させた周壁に当たることで、後述の防虫網部３０から検煙部１内に流入できる。また、平板部１２の外周部には、発光素子ホルダ２６と対応する位置に凸部１２ｂが形成されている。また、光学台カバー１０には、筒部１１と平板部１２とを接続するともに水平方向からの煙を誘導する複数のリブ１３も設けられている。なお、筒部１１の形状は、略円筒形状に限られるものではない。例えば、筒部１１を略角筒形状に形成してもよい。
【００２５】
平板部１２には、筒部１１の周縁部に複数の穴部３１が略円環状に配置された防虫網部３０が形成されている。つまり、本実施の形態１に係る光学台カバー１０（より詳しくは平板部１２）は、防虫網が一体形成されたものとなっている。換言すると、防虫網部３０が、検煙部１への煙流入部となっている。なお、穴部３１の配置形状は、略環状であればよく、光学台２１や筒部１１等の形状に応じてその形状を適宜変更すればよい。例えば、筒部１１が略角筒形状の場合、穴部３１を平面視角形となる略環状（換言すると、略額縁形状）に形成してもよい。ここで、発光素子ホルダ２６及び受光素子ホルダ２７と対向する範囲の防虫網部３０には穴部３１が形成されていないが、本実施の形態１では略環状と称することとする。
【００２６】
穴部３１は、凹部３１ａ及び貫通孔３１ｂにより形成されている。凹部３１ａは、例えば平面視略長方形をしており、平板部１２の下面に形成されている。なお、凹部３１ａの平面視形状は、略長方形に限らず、任意の形状とすることができる。例えば凹部３１ａの平面視形状を略円形状に形成してもよい。この凹部３１ａは、例えば平面視略長方形の貫通孔３１ｂにより、平板部１２の上面側と連通している。なお、貫通孔３１ｂの平面視形状も略長方形に限らず、任意の形状とすることができる。例えば貫通孔３１ｂの平面視形状を略円形状に形成してもよい。
【００２７】
より詳しくは、貫通孔３１ｂは、穴部３１の配置形状における外周側（平板部１２の外周側）に位置する凹部３１ａの側壁と接するように形成されている。これにより、穴部３１を通過した光は、光学台２１の外周側へ向かいながら光学台２１に流入することとなる。そして、その光は光学台２１の周壁に反射して減衰される。このため、穴部３１の配置形状における外周側（平板部１２の外周側）に位置する凹部３１ａの側壁と接するように貫通孔３１ｂを形成することで、穴部３１から進入した外光が直接受光素子へ到達することを抑制できる。なお、貫通孔３１ｂは、必ずしも穴部３１の配置形状における外周側（平板部１２の外周側）に位置する凹部３１ａの側壁と接している必要はない。穴部３１の配置形状における外周側（平板部１２の外周側）に位置する凹部３１ａの側壁に寄って貫通孔３１ｂが形成されていれば、穴部３１から流入した外光が直接受光素子へ到達することを抑制できる。
【００２８】
また、平板部１２の上面には、光学台２１の下部外周形状に対応した形状の係合部１２ａが突設されている。この係合部１２ａを光学台２１の下部外周に係合させることにより、光学台カバー１０は光学台２１に取り付けられ、光学台２１内部を暗箱にする。
【００２９】
なお、本実施の形態１では、防虫網部３０として防虫網を光学台カバー１０（より詳しくは平板部１２）と一体形成したが、光学台カバー１０と防虫網（防虫網部３０）を別体で形成しても勿論よい。つまり、検煙部１への煙流入部近傍に別体の防虫網を取付けてもよい。なお、本実施の形態１では、火災警報器１００の組立作業性を向上させるため、防虫網部３０として防虫網を光学台カバー１０（より詳しくは平板部１２）と一体形成している。
【００３０】
検煙部１は、回路基板２の下面部に実装されている（後述の図７参照）。この回路基板２には複数の電気部品（図示せず）が実装されており、これら電気部品が火災判別部３等を構成する。検煙部１が回路基板２に実装された状態においては、発光素子２２及び受光素子２３と火災判別部３とは電気的に接続されている。そして、火災判別部３は、受光素子２３が検出する受光量に基づいて火災が発生したか否かを判別する。受光素子２３が検出する受光量は、例えば電圧等によって火災判別部３に出力される。
【００３１】
図６は、本発明の実施の形態１に係る火災警報器の底面図である。また、図７は、図６のＣ−Ｃ断面図（正面断面図）である。
図６及び図７に示すように、検煙部１及び回路基板２は筐体４０内に収容され、火災警報器１００を構成する。この筐体４０は、保護カバー４１及び本体４５で構成されている。
【００３２】
保護カバー４１は、上側に向かって拡開した有底円筒形状をしており、下部の略中央部に略円形状の開口部４１ａが形成されている。開口部４１ａは検煙部１の外周形状（より詳しくは、光学台カバー１０の平板部１２の外周形状）に対応した形状となっている。この開口部４１ａの下方には、複数のリブ４３を介して、平板部４２が設けられている。これにより、保護カバー４１下部の側面には、煙流入口４１ｂが形成されている。なお、保護カバー４１に形成されている開口部４１ｃは、火災警報用の表示灯を保護カバー４１から突出させるためのものである。
【００３３】
本体４５は、その外周形状が保護カバー４１の上部内周形状に対応した形状となっている。この本体４５の下面部には、検煙部１等が実装された回路基板２が設けられている。本体４５を保護カバー４１の上部と係合させることにより、筐体４０が組み立てられる。このとき、検煙部１の光学台カバー１０が保護カバー４１の開口部４１ａ内に配置された状態となる。
【００３４】
火災警報器１００は、例えば家屋の室内等の監視空間に設置される。火災警報器１００が監視空間の天井面に取り付けられた状態においては、火災警報器１００は、図７に示すように、煙流入口４１ｂが下側となって設置される。この火災警報器１００は、例えばリチウム電池等（図示せず）を駆動源としている。なお、外部の電源（図示せず）から火災警報器１００へ電力供給しても勿論よい。
【００３５】
（動作説明）
続いて、本実施の形態１に係る火災警報器１００の動作について説明する。なお、図４及び図７には、煙の流れを破線の矢印で示している。
【００３６】
火災により発生した煙は、監視空間の天井面等に沿って流れ、煙流入口４１ｂから検煙部１近傍へ流入する。
煙は粒子の質量が小さく慣性が小さいため、流動状態を変化させやすい。このため、検煙部１近傍に到達した煙は、防虫網部３０の穴部３１（凹部３１ａ及び貫通孔３１ｂ）を通過して、検煙部１内へ流入する。本実施の形態１においては、貫通孔３１ｂよりも開口面積の大きい凹部３１が下方に向かって開口していることにより、煙は検煙部１内により流入しやすくなっている。
【００３７】
検煙部１内に煙が流入すると、この煙によって発光素子２２の照射した光が散乱する。この散乱光は受光素子２３によって受光される。つまり、受光素子２３の受光量が変化する。そして受光素子２３は、受光量に応じた検出値（電圧等）を火災判別部３に出力する。この検出値に基づいて、火災判別部３は火災が発生したか否かを判別する。火災が発生したと判断すると、火災判別部３は、ＬＥＤ等の表示灯やブザー等の警報装置（図示せず）によって火災が発生したことを周囲に警報する。
【００３８】
一方、湯気や粉塵等の非火災報源は粒子の質量が大きく慣性が大きいため、流動状態を変化させにくい。このため、検煙部１近傍に到達した湯気や粉塵等の非火災報源は、防虫網部３０の穴部３１をほとんど通過することなく（検煙部１内へほとんど流入することなく）、光学台カバー１０の筒部１１や複数のリブ１３の周壁に沿って、火災警報器１００の外部へ流出する。このため、検煙部１内では、発光素子２２の照射した光が湯気や粉塵等の非火災報源によって散乱することはない（又は少ない）。したがって、検煙部１内に湯気が流入しても、火災判別部３は火災であると誤判断することがない。本実施の形態１においては、細孔である貫通孔３１ｂによって、検煙部１の内部と外部とを連通している。このため、検煙部１近傍に到達した湯気や粉塵等の非火災報源が検煙部１内へより流入しにくくなっている。
【００３９】
以上のように構成された火災警報器１００においては、質量の小さい煙は防虫網部３０の穴部３１（凹部３１ａ及び貫通孔３１ｂ）を通って検煙部１に流入し、質量の大きい湯気や粉塵等の非火災報源は検煙部１に流入しない。したがって、誤報することなく、火災を判断することがでる火災警報器１００を得ることができる。また、略円環状の外周側（平板部１２の外周側）に位置する凹部３１ａの側壁と接するように貫通孔３１ｂを形成しているので、穴部３１から流入した光が受光素子へ到達することを抑制でき、火災警報器１００の誤報をより防止することができる。
【００４０】
また、光学台カバー１０と防虫網（防虫網部３０）を別体で形成する場合、防虫網は、平板に複数の穴部３１（凹部３１ａ及び貫通孔３１ｂ）が略環状に配置されたものとなる。このとき、穴部３１の形成方向（凹部３１ａの凹み方向及び貫通孔３１ｂの貫通方向）が平板の厚み方向に形成されることとなる。このため、穴部３１の形成方向に動く金型部品のみで防虫網を形成することができ、防虫網を形成する際の金型構造を簡素化することができる。
【００４１】
また、光学台カバー１０と防虫網（防虫網部３０）を一体形成した場合でも、穴部３１の形成方向に動く金型部品のみで光学台カバー１０を形成することができる。このため、光学台カバー１０と防虫網（防虫網部３０）を一体形成した場合でも、光学台カバー１０を形成する際の金型構造を簡素化することができる。したがって、光学台カバー１０のコストの増加を抑制することができる。また、光学台カバー１０と防虫網（防虫網部３０）を一体形成することにより、火災警報器１００の組立作業性を向上させることもできる。
【００４２】
なお、火災警報器１００が天井面と略直交する側壁面に設置されても、煙は図４及び図７の通りに流動するので、天井面取付時と同様な効果が得られる。
【００４３】
実施の形態２．
実施の形態１では光学台カバー１０と防虫網（防虫網部３０）を一体形成したが、この光学台カバー１０をさらに保護カバー４１と一体形成してもよい。なお、本実施の形態２において、特に記述しない項目については実施の形態１と同様とし、同一の機能や構成については同一の符号を用いて述べることとする。
【００４４】
図８は、本発明の実施の形態２に係る火災警報器の底面図である。図９は、図８のＤ−Ｄ断面図である。図１０は、図８のＥ−Ｅ断面図である。また、図１１及び図１２は、この火災警報器の分解斜視図である。なお、図１１は火災警報器１００を下方から見た分解斜視図を示しており、図１２は火災警報器１００を上方から見た分解斜視図を示している。以下、これら図８〜図１２を用いて、本実施の形態２に係る火災警報器１００の検煙部１について説明する。
【００４５】
本実施の形態２に係る火災警報器１００は、保護カバー４１と光学台カバー１０が一体形成されているものである。より詳しくは、本実施の形態２に係る火災警報器１００の光学台カバー１０は、実施の形態１で示した保護カバー４１の開口部４１ａを、実施の形態１で示した光学台カバー１０で閉塞した形状となっている。また、本実施の形態２に係る火災警報器１００の光学台カバー１０は、実施の形態１で示した保護カバー４１の平板部４２及びリブ４３が設けられていない構成となっている。このため、本実施の形態２に係る火災警報器１００の保護カバー４１は、防虫網部３０の穴部３１（凹部３１ａの凹み方向及び貫通孔３１ｂの貫通方向）の形成方向に動く金型部品のみで保護カバー４１を形成することができる。
なお、本実施の形態２に係る火災警報器１００のその他の構成は、実施の形態１に係る火災警報器１００と同様である。
【００４６】
本実施のように構成された火災警報器１００においても、実施の形態１と同様に、質量の小さい煙は防虫網部３０の穴部３１（凹部３１ａ及び貫通孔３１ｂ）を通って検煙部１に流入し、質量の大きい湯気や粉塵等の非火災報源は検煙部１に流入しない。したがって、誤報することなく、火災を判断することができる火災警報器１００を得ることができる。また、略円環状の外周側（平板部１２の外周側）に位置する凹部３１ａの側壁と接するように貫通孔３１ｂを形成しているので、穴部３１から流入した光が受光素子へ到達することを抑制でき、火災警報器１００の誤報をより防止することができる。
【００４７】
また、本実施の形態２に係る保護カバー４１は、防虫網部３０の穴部３１の形成方向に動く金型部品のみで形成することができるので、保護カバー４１と光学台カバー１０とを一体形成した場合でも保護カバー４１のコストの増加を抑制することができる。また、保護カバー４１と光学台カバー１０とを一体形成することにより、火災警報器１００の組立作業性をさらに向上させることもできる。
【００４８】
以上、実施の形態１及び実施の形態２では散乱光式の火災警報器１００に本発明を実施したが、火災感知器に本発明を実施することももちろん可能である。
【符号の説明】
【００４９】
１  検煙部、２  回路基板、３  火災判別部、１０  光学台カバー、１１  筒部、１１ａ  上端部、１２  平板部、１２ａ  係合部、１２ｂ  凸部、１３  リブ、２１  光学台、２２  発光素子、２２ａ  光軸、２３  受光素子、２３ａ  光軸、２４  遮光部材、２４ａ  エッジ部、２４ｂ  エッジ部、２６  発光素子ホルダ、２６ａ  保持部材、２６ｂ  貫通孔、２７  受光素子ホルダ、２８  シールドケース、２８ａ  保持部材、２８ｂ  凸部、２９  光トラップ、２９ａ  壁体、３０  防虫網部、３１  穴部、３１ａ  凹部、３１ｂ  貫通孔、４０  筐体、４１  保護カバー、４１ａ  開口部、４１ｂ  煙流入口、４１ｃ  開口部、４２  平板部、４３  リブ、４５  本体、１００  火災警報器。
【図１】
2011215705.tif 000003
【図２】
2011215705.tif 000004
【図３】
2011215705.tif 000005
【図４】
2011215705.tif 000006
【図５】
2011215705.tif 000007
【図６】
2011215705.tif 000008
【図７】
2011215705.tif 000009
【図８】
2011215705.tif 000010
【図９】
2011215705.tif 000011
【図１０】
2011215705.tif 000012
【図１１】
2011215705.tif 000013
【図１２】
2011215705.tif 000014